(57)【要約】【課題】タイマーへの時間設定時に遅れが生じないようにする。【解決手段】携帯電話機のタイマー補助方法において、複数の作業名と、各作業名に対する複数の計測時間を順番に保存する工程と、保存された複数の作業名から選択された任意の１つの作業名と、選択された前記作業名に対して保存されている複数の計測時間とを表示する工程と、表示された前記複数の計測時間を保存された順番でタイマーに設定し、スタートの合図により、前記タイマーに設定された計測時間のカウントダウンを開始する工程と、カウントダウンの終了により、終了通知を行う工程とを備える。【選択図】図９
2008026291.tif 000002
【特許請求の範囲】
【請求項１】
携帯電話機のタイマー補助方法において、
複数の作業名と、各作業名に対する複数の計測時間を順番に保存する工程と、
保存された複数の作業名から選択された任意の１つの作業名と、選択された前記作業名に対して保存されている複数の計測時間とを表示する工程と、
表示された前記複数の計測時間を保存された順番でタイマーに設定し、スタートの合図により、前記タイマーに設定された計測時間のカウントダウンを開始する工程と、
前記カウントダウンの終了により、終了通知を行う工程とを備えることを特徴とする携帯電話機のタイマー補助方法。
【請求項２】
前記複数の計測時間を保存する際に、各計測時間にメモを付加することを特徴とする、請求項１に記載の携帯電話機のタイマー補助方法。
【請求項３】
前記複数の計測時間を保存する場合に、携帯電話機の数字キー１〜９、０を１分〜９分、１０分として分単位で入力し、１つの計測時間の入力後一定時間内に数字キーの入力がある場合には次の計測時間の入力とすることを特徴とする、請求項１に記載の携帯電話機のタイマー補助方法。
【請求項４】
保存された前記作業名、前記計測時間の変更を個別に行うことを特徴とする、請求項１に記載の携帯電話機のタイマー補助方法。
【請求項５】
作業名がない複数の計測時間に対して保存が行われることを特徴とする、請求項１に記載の携帯電話機のタイマー補助方法。
【請求項６】
前記作業名、前記複数の計測時間と共に前記作業内容を説明するメモを保存することを特徴とする、請求項１に記載の携帯電話機のタイマー補助方法。
【請求項７】
前記複数の計測時間を表示する場合にカウントダウンしている計測時間以外の計測時間を表示しないことを特徴とする、請求項１に記載の携帯電話機のタイマー補助方法。
【請求項８】
前記複数の計測時間を表示する場合にカウントダウンしている計測時間以外の計測時間をグレー表示することを特徴とする、請求項１に記載の携帯電話機のタイマー補助方法。
【請求項９】
前記携帯電話機に受信したメール本文又はｈｔｍｌ本文から前記複数の計測時間を検索して検索した複数の計測時間を前記本文中にあった順番に保存することを特徴とする、請求項１に記載の携帯電話機のタイマー補助方法。
【請求項１０】
前記終了通知はスピーカーからの音の鳴動音、バイブレータの動作、通知画面の表示により行われることを特徴とする、請求項１に記載の携帯電話機のタイマー補助方法。
【請求項１１】
前記終了通知は前記スピーカーから鳴動する音が前記複数の計測時間毎に異なるように行われることを特徴とする、請求項１に記載の携帯電話機のタイマー補助方法。
【請求項１２】
前記終了通知は、前記携帯電話機に音声合成の機能を含む場合、音声合成によりカウントダウンの終了のメッセージを音声で読み上げることを特徴とする、請求項１に記載の携帯電話機のタイマー補助方法。
【請求項１３】
さらに、前記終了通知には音楽による通知を含むことを特徴とする、請求項１に記載の携帯電話機のタイマー補助方法。
【請求項１４】
前記終了通知は事前にトーンの鳴動、ＬＥＤの点滅を行うことを特徴とする、請求項１に記載の携帯電話機のタイマー補助方法。
【請求項１５】
携帯電話機のタイマー補助方法において、
複数の料理名と、各料理名に対する複数の料理時間を順番に保存する工程と、
保存された複数の料理名から選択された任意の１つの料理名と、選択された前記料理名に対して保存されている複数の料理時間とを表示する工程と、
表示された前記複数の料理時間を保存された順番でタイマーに設定し、スタートの合図により、前記タイマーに設定された料理時間のカウントダウンを開始する工程と、
前記カウントダウンの終了により、終了通知を行う工程とを備えることを特徴とする携帯電話機のタイマー補助方法。
【請求項１６】
携帯電話機のタイマー補助をコンピュータで実行するプログラムにおいて、
複数の作業名と、各作業名に対する複数の計測時間を順番に保存する手順と、
保存された複数の作業名から選択された任意の１つの作業名と、選択された前記作業名に対して保存されている複数の計測時間とを表示する手順と、
表示された前記複数の計測時間を保存された順番でタイマーに設定し、スタートの合図により、前記タイマーに設定された計測時間のカウントダウンを開始する手順と、
前記カウントダウンの終了により、終了通知を行う手順とを備えることを特徴とする携帯電話機のタイマー補助をコンピュータで実行するプログラム。
【請求項１７】
タイマー機能を有する携帯電話機において、
作業欄に複数の作業名を保存し、計測時間欄に各作業名に対する複数の計測時間を保存するタイマー補助情報保存部と、
前記タイマー補助情報保存部の作業欄を表示させ、新規に作業名を保存し、さらに、計測時間欄を表示させ、新規に保存された前記作業名に対して複数の計測時間を順番に保存させる計測時間保存制御部と、
前記タイマー補助情報保存部の作業欄を表示し表示された複数の作業名から選択された前記作業名に対する複数の計測時間を表示させ、タイマーに前記複数の計測時間を順番に設定し、スタートの合図でカウントダウンを開始させる計測時間設定制御部と、
前記カウントダウンの終了により、終了通知を行う計測終了通知部とを備えることを特徴とする携帯電話機。
【発明の詳細な説明】
【技術分野】
【０００１】
本発明は携帯電話機のタイマーに関する。特に、本発明は、タイマーを有効に活用する携帯電話機におけるタイマー補助方法、プログラム及びタイマー機能を有する携帯電話機に関する。
【背景技術】
【０００２】
携帯電話機におけるタイマーには２種類あり、１つは、ストップウオッチとして使用されるカウントアップ式のタイマーであり、もう１つは、予め時間を設定し、その時間からカウントダウンを行うものである。本発明は後者のカウントダウン形式のタイマーに関するものとし、以降の文章の中での「タイマー」は後者を示すものとする。
図１６は本発明の前提となる携帯電話機におけるタイマー設定方法について説明する図である。本図（ａ）に示すように、携帯電話機における機能選択画面又はメニュー一覧画面には、一例として、カメラ、めざまし時計、タイマー、スケジュール、赤外線等の機能選択のメニュー一覧が表示される。タイマー機能を使用する場合、ユーザは特定の操作を行い、メニュー一覧画面を表示させ、カーソルのスクロール操作で「タイマー」を選択し、ボタン押下などで決定することにより、本図（ｂ）に示すように、タイマー機能の画面が表示される。
【０００３】
本図（ｂ）のタイマー機能の画面では時間入力が可能であり、ユーザは目的の時間、一例として、本図（ｃ）に示すように、６分３０秒を設定する場合には、「０６：３０」のように時間を入力し、特定のボタン（「スタート」）を押下することにより、本図（ｄ）に示すように、タイマーのカウントダウンをスタートさせる。
また、時間を設定した際に、タイマー終了時の鳴動音などを設定することが可能である。すなわち、「０６：３０」→「０６：２９」→、…、のように、カウントダウンし、「００：００」になったところで、予め設定しておいた鳴動音が鳴るなどして、ユーザに６分３０秒が経過したことを知らせる。
【０００４】
ところで、タイマーを使用する目的として、主に料理が挙げられる。さまざまな料理において、茹で時間、煮込み時間などが決まっており、その際にはタイマーが有効活用されている。
携帯電話機におけるタイマーに限らず、カウントダウン式のタイマーとして、一般にはキッチンタイマーが知られている。キッチンタイマーは料理の際に使われることが多く、また１つの料理に対して数回キッチンタイマーを使用することも多い。料理によっては、茹でる、煮る、などといったような作業には時間が決まっており、料理の流れの中ではそれぞれの時間をスムーズに進めていくことが重要である。その場合、従来では、複数のキッチンタイマーを使用してそれぞれに対し予め時間を設定しておくことで、キッチンタイマーを使用したスムーズな料理が可能となるが、複数のキッチンタイマーを所持しているユーザは少ない。
【０００５】
前述のように、一般的にはキッチンタイマーを使用することが多いが、キッチンタイマーを保持していない場合、又は外出先で使用したい場合などでは、上記の携帯電話機のタイマーを使用することにより代用が可能である。すなわち、携帯電話機を使用するユーザにとって、携帯電話機のタイマー機能は非常に便利で有効である。
但し、上記の携帯電話機でのタイマー機能では、時間を計る度に時間を再設定する必要がある。例えば、１つの料理において数回時間を計りながら煮込むものもある。５分中火で煮込み、その後１０分弱火で煮込むといったような例である。その場合、以下のような手順にて料理を行うことが考えられる。
【０００６】
手順１．タイマーを起動し、５分の時間設定を行う（図７（ａ）〜（ｃ）参照）。
手順２．中火で料理をしかけ、５分のタイマーを開始する（図７（ｃ）〜（ｄ）参照）。
手順３．５分経過後、再度タイマーに対して１０分の時間設定を行う（図７（ａ）〜（ｃ）参照）。ここで、再度手順１と同様の操作が必要となる。
【０００７】
手順４．火を弱火に変え、１０分のタイマーを開始する（図７（ｃ）〜（ｄ）参照）。
ここで、再度手順２と同様の操作が必要となる。
上記の場合、５分から１０分への作業へ移行する間にタイマーの時間の設定を行う必要があり、ある程度の時間がかかってしまう。
つまり、中火から弱火への移行をスムーズに行うことができない。上記手順３の１０分の時間設定の前に火を弱火に変えたとしても、タイマー設定に時間を使ってしまえば、正確に弱火で１０分間煮込むことは難しく、タイマーへの時間設定に遅れが出るという問題がある。
【０００８】
また、料理には上記のような煮込み料理以外にも茹でる時間など、時間が関係しているものは数多い。料理の専門家などはこのような時間を把握しているが、一般では、料理におけるこのような時間を正確に覚えておくことは難しい。ユーザによっては一度作った料理でもその時にタイマーで測定した時間を覚えておくことは困難である。すなわち、ユーザはその度に料理の本や、メモなどで時間を確認する必要があるので、タイマーへの時間設定に遅れが生じるという問題がある。
【０００９】
このように、携帯電話機のタイマーの利用について、下記の従来技術がある。
近年、インターネットを通じて携帯電話機などの端末にクーポンをダウンロードさせるサービスが提供されているが、そのダウンロード後の利用率が悪く、又、どの程度の人間がダウンロードしたかの追跡データが収集不可であるといった問題があったため、携帯電話機内部で着信に応じて抽選ゲームを実行する機能と、その抽選結果が当選であった場合に、予め前記携帯電話機内部の記憶手段に記憶しておいた、クーポン表示データに基づいて携帯電話機の表示手段にクーポン画像を表示させる機能と、当該クーポン画像の有効期限を設定する機能と、この設定された有効期限に対するカウントダウン表示をタイマ手段に基いて実行させる機能とをコンピュータに実現させるものがある（例えば、特許文献１参照）。
【００１０】
しかしながら、上記特許文献１では、携帯電話機にダウンロードしたクーポン画像の有効期限に対してタイマーのカウントダウンを行うが、前述のようにタイマーへの時間設定に遅れが生じるという問題を解決するものではない。
また、従来、自動で設定された復帰時間で、規制モードから待ち受けモードに復帰するため、時間帯記憶部はユーザーから入力された複数時間帯を設定し、規制モード時間記憶部は設定された複数時間帯の各々毎に、過去に実行された規制と規制からの復帰により得られた規制継続時間（復帰時間）を記憶し、制御部はユーザーからの規制指令で、規制モードの開始時刻を取得し、開始時刻を含む時間帯を特定し、特定された時間帯に応ずる規制継続時間を規制モード時間記憶部から取得し、この規制継続時間の後に、規制モードから待ち受けモードに復帰するよう制御し、規制モードの開始時刻に応じた規制継続時間の後に、規制モードから待ち受けモードに復帰され、また、規制モードの開始時刻が特定された時間帯内で変動しても、常に一定の規制継続時間の後に、規制モードから待ち受けモードに復帰されものもある（例えば、特許文献２参照）。
【００１１】
しかしながら、上記特許文献２では、規制モードから待ち受けモードに復帰するため、複数時間帯を設定するものであるが、前述のようにタイマーへの時間設定に遅れが生じるという問題を解決するものではない。
また、不在時間を呼出者に知らせることができる簡易且つ安価な不在電話の応答宗一を提供するため、異なる時間を設定する複数の時間セットボタンと、時間セットボタンによって指定された時間作動するタイマーと、このタイマーの作動に応じて設定された時間を音声合成する音声合成回路とを有し、音声合成されたメッセージを応答するようにしたものがある（例えば、特許文献３参照）。
【００１２】
しかしながら、上記特許文献３では、時間セットボタンによって指定された時間作動するタイマーを有するが、前述のようにタイマーへの時間設定に遅れが生じるという問題を解決するものではない。
また、従来、複数のタイマー機能及び複数の音声によるメッセージの入出力を可能にすることにより、携帯電話に視力障害者でも情報伝達できるスケジューラーとしての機能を持たせ、簡単にメッセージの入出力ができる携帯電話を提供するため、アラーム機構と操作手順文字案内機能付き液晶表示部を備えた携帯電話に複数の音声メッセージの録音再生機構とその音声メッセージの再生タイマーを組み込み、録音再生機構には内蔵送話マイクから音声信号を入力するボタンスイッチを有し、その入力音声信号を録音するメモリを備え、そのメモリに複数の音声メッセージをそれぞれ記憶できるようにし、その個々の音声メッセージに対応して時刻を設定できるタイマーを組み合わせ、各設定時刻になるとタイマースイッチが働いて前記音声メモリに格納された対応する音声メッセージが内蔵受話スピーカーにより音声出力されるものもある（例えば、特許文献４参照）。
【００１３】
しかしながら、上記特許文献４では、設定時刻になるとタイマースイッチが働いて音声メモリに格納された対応する音声メッセージが内蔵受話スピーカーにより音声出力されるが、前述のようにタイマーへの時間設定に遅れが生じるという問題を解決するものではない。
【００１４】
【特許文献１】特開２００４−１６４５７５号公報
【特許文献２】特開２００５−２１０５９７号公報
【特許文献３】特開平０３−００７４５２号公報
【特許文献４】特開平１１−１３６３９７号公報
【発明の開示】
【発明が解決しようとする課題】
【００１５】
したがって、本発明は上記問題点に鑑みて、タイマーへの時間設定時に遅れが生じない携帯電話機のタイマー補助方法、プログラム及びタイマー機能を有する携帯電話機を提供することを目的とする。
【課題を解決するための手段】
【００１６】
本発明は前記問題点を解決するために、携帯電話機のタイマー補助方法において、複数の作業名と、各作業名に対する複数の計測時間を順番に保存する工程と、保存された複数の作業名から選択された任意の１つの作業名と、選択された前記作業名に対して保存されている複数の計測時間とを表示する工程と、表示された前記複数の計測時間を保存された順番でタイマーに設定し、スタートの合図により、前記タイマーに設定された計測時間のカウントダウンを開始する工程と、前記カウントダウンの終了により、終了通知を行う工程とを備えることを特徴とする携帯電話機のタイマー補助方法を提供する。
【００１７】
さらに、前記複数の計測時間を保存する際に、各計測時間にメモを付加する。
さらに、前記複数の計測時間を保存する場合に、携帯電話機の数字キー１〜９、０を１分〜９分、１０分として分単位で入力し、１つの計測時間の入力後一定時間内に数字キーの入力がある場合には次の計測時間の入力とする。
さらに、保存された前記作業名、前記計測時間の変更を個別に行う。
【００１８】
さらに、作業名がない複数の計測時間に対して保存が行われる。
さらに、前記作業名、前記複数の計測時間と共に前記作業内容を説明するメモを保存する。
さらに、前記複数の計測時間を表示する場合にカウントダウンしている計測時間以外の計測時間を表示しない。
【００１９】
さらに、前記複数の計測時間を表示する場合にカウントダウンしている計測時間以外の計測時間をグレー表示する。
さらに、前記携帯電話機に受信したメール本文又はｈｔｍｌ本文から前記複数の計測時間を検索して検索した複数の計測時間を前記本文中にあった順番に保存する。
さらに、前記終了通知はスピーカーからの音の鳴動音、バイブレータの動作、通知画面の表示により行われる。
【００２０】
さらに、前記終了通知は前記スピーカーから鳴動する音が前記複数の計測時間毎に異なるように行われる。
さらに、前記終了通知は、前記携帯電話機に音声合成の機能を含む場合、音声合成によりカウントダウンの終了のメッセージを音声で読み上げる。
さらに、前記終了通知には音楽による通知を含む。
【００２１】
さらに、前記終了通知は事前にトーンの鳴動、ＬＥＤの点滅を行う。
さらに、本発明は、携帯電話機のタイマー補助方法において、複数の料理名と、各料理名に対する複数の料理時間を順番に保存する工程と、保存された複数の料理名から選択された任意の１つの料理名と、選択された前記料理名に対して保存されている複数の料理時間とを表示する工程と、表示された前記複数の料理時間を保存された順番でタイマーに設定し、スタートの合図により、前記タイマーに設定された料理時間のカウントダウンを開始する工程と、前記カウントダウンの終了により、終了通知を行う工程とを備えることを特徴とする携帯電話機のタイマー補助方法を提供する。
【００２２】
さらに、本発明は、携帯電話機のタイマー補助をコンピュータで実行するプログラムにおいて、複数の作業名と、各作業名に対する複数の計測時間を順番に保存する手順と、保存された複数の作業名から選択された任意の１つの作業名と、選択された前記作業名に対して保存されている複数の計測時間とを表示する手順と、表示された前記複数の計測時間を保存された順番でタイマーに設定し、スタートの合図により、前記タイマーに設定された計測時間のカウントダウンを開始する手順と、前記カウントダウンの終了により、終了通知を行う手順とを備えることを特徴とする携帯電話機のタイマー補助をコンピュータで実行するプログラムを提供する。
【００２３】
さらに、タイマー機能を有する携帯電話機において、作業欄に複数の作業名を保存し、計測時間欄に各作業名に対する複数の計測時間を保存するタイマー補助情報保存部と、前記タイマー補助情報保存部の作業欄を表示させ、新規に作業名を保存し、さらに、計測時間欄を表示させ、新規に保存された前記作業名に対して複数の計測時間を順番に保存させる計測時間保存制御部と、前記タイマー補助情報保存部の作業欄を表示し表示された複数の作業名から選択された前記作業名に対する複数の計測時間を表示させ、タイマーに前記複数の計測時間を順番に設定し、スタートの合図でカウントダウンを開始させる計測時間設定制御部と、前記カウントダウンの終了により、終了通知を行う計測終了通知部とを備えることを特徴とする携帯電話機を提供する。
【発明の効果】
【００２４】
以上説明したように、本発明によれば、タイマーを使用する際に連続して計測を行う場合、従来では再度タイマーの時間の設定を行う必要があったが、一連の作業に複数の計測時間を設定することで、タイマーへの時間設定時に遅れが生じずに、一連の作業がスムーズに進めることが可能となり、設定される複数の計測時間の保存についても簡易計測時間保存のモードを使用することで、少ないキー操作で簡単に複数の計測時間の保存ができる。また、複数の一連の作業がある場合、各一連の作業について、携帯電話機のメモリ内に複数の計測時間を保存できるようにすることで、一度保存してしまえば、それ以降その都度、従来のように計測時間をタイマーに設定する煩わしさがなくなり、且つ設定すべき計測時間を思い出せない場合でもわざわざ調べる手間がいらない。
【発明を実施するための最良の形態】
【００２５】
以下、本発明の実施の形態について図面を参照して説明する。
図１は本発明に係る携帯電話機の概略構成を示すブロック図である。本図に示すように、携帯電話機１００にはアンテナ１０１が設けられ、アンテナ１０１は基地局との間で無線通信を行う。
アンテナ１０１には無線部１０２が接続され、無線部１０２はアンテナ１０１で受信した信号を復調、アンテナ１０１に対して送信すべき信号を変調する。
【００２６】
携帯電話機１００にはメモリ１０３が設けられ、メモリ１０３は携帯電話機を動作させるプログラム、処理データを格納する。
携帯電話機１００には音声信号処理部１０４、スピーカー１０５Ａ、１０５Ｂ、マイクロフォン１０６が設けられ、スピーカー１０５Ａは受話用のスピーカーであり、マイクロフォン１０６は送話用のマイクロフォンであり、スピーカー１０５Ｂは着信鳴動用のスピーカーであり、音声信号処理部１０４は音声信号をディジタルからアナログに変換する処理等を行いスピーカー１０５Ａに出力し、マイクロフォン１０６から入力した音声信号をアナログからディジタルに変換する処理等を行う。
【００２７】
無線部１０２、メモリ１０３、音声信号処理部１０４には制御部１０７が接続され、制御部１０７はＣＰＵ（中央処理装置）で構成され、メモリ１０３に格納されるプログラムを実行し、送信信号の変調、符号化、受信信号の復調、復号化を含む携帯電話機１００の全体の制御を行う。
制御部１０７には操作部１０８が接続され、操作部１０８は電話番号、文字等の入力を行う複数のキー、各機能の選択等に対してカーソルのスクロールを行う機能キーから構成される。
【００２８】
さらに、制御部１０７には表示部１０９が接続され、表示部１０９はＬＣＤ（液晶表示部）等で構成され、各種表示を行う。
すなわち、制御部１０７は、操作部１０８のキー押下を監視し、ユーザの操作を検出判断して、キー押下を認識し、操作に基づき、必要な情報を表示部１０９に表示を行う。
さらに、制御部１０７にはタイマー１１０が接続され、タイマー１１０はカウントアップ又はカウントダウンのタイマーであり、特に、カウントダウンのタイマーに対して後述する本発明に係るタイマー補助が行われる。
【００２９】
さらに、制御部１０７には、スピーカー１０５Ｂ、バイブレータ１１１が接続され、スピーカー１０５Ｂは着信時に鳴動し、バイブレータ１１１は着信時に動作し、着信をユーザに知らせる。
さらに、メモリ１０３にはタイマー補助情報保存部１０３Ａが設けられ、タイマー補助情報保存部１０３Ａは作業に対してタイマー１１０の計測時間を入力する際の正確性を確保するための補助情報を保持する。
【００３０】
さらに、制御部１０７にはタイマー補助部１０７Ａが設けられ、タイマー補助部１０７Ａは作業に対してタイマー１１０の計測時間を入力する際の正確性を確保するための補助を行う。
図２は図１におけるタイマー補助情報保存部１０３Ａに保持されるタイマー補助情報を説明する図である。
【００３１】
本図に示すように、メモリ１０３におけるタイマー補助情報保存部１０３Ａには作業、計測時間の欄があり、作業の欄には作業名として複数の料理名が保存され、計測時間の欄には、作業の欄に保存される作業名としての各料理名に対して複数の計測時間が保存される。
好ましくは、保存される料理名は最大２０種類とし、１つの料理名に対して保存される計測時間は最大５種類とする。
【００３２】
保存される複数の計測時間はタイマー１１０に対して保存された順番に設定される時間であり、煮たり、茹でたり、蒸かしたり、炒めたり、焼いたり、炊いたりを含む料理の時間を計測するために使用される。以下、計測時間を料理時間という。
本図に示すように、一例として、料理名として、料理１、２、３が保存されているとする。
【００３３】
さらに、保存される料理時間の各々に対して料理の火力の種類、例えば、強火、中火、弱火のうち１つがメモで保存されるようにしてもよい。
さらに、特定の料理などに限定せず、頻繁に計測する料理時間の場合、作業の欄に特定の料理名をつけず、料理時間だけの保存だけでもよい。
このように、タイマーへの時間設定に対して、作業である料理に名前を付け、料理名に対して複数の料理時間を保存するので、ユーザは料理名、複数の料理時間を覚える必要がなくなる。
【００３４】
図３は図１におけるタイマー補助部１０７Ａの概略構成を示すブロック図である。本図に示すように、制御部１０７のタイマー補助部１０７Ａには計測時間保存制御部２０１が設けられ、計測時間保存制御部２０１はメモリ１０３のタイマー補助情報保存部１０３Ａにおける作業の欄に料理名を保存し、計測時間の欄に料理名に対して複数の料理時間を保存する制御を行う。
【００３５】
また、計測時間保存制御部２０１はタイマー補助情報保存部１０３Ａに保存した料理名、料理時間の変更を行えるようにする。
また、計測時間保存制御部２０１はタイマー補助情報保存部１０３Ａへの料理時間の保存を簡易に行えるようにする。
さらに、タイマー補助部１０７Ａには計測時間設定制御部２０２が設けられ、計測時間設定制御部２０２はメモリ１０３におけるタイマー補助情報保存部１０３Ａに保存されている複数の料理名から選択された１つを表示部１０９に表示し、且つ、表示された料理名に対応する複数の料理時間をタイマー１１０への設定順番に表示し、さらに、料理の火力の種類を表示し、選択された料理時間に対してタイマー１１０のスタートと共にカウントダウンを計測し表示する。
【００３６】
タイマー補助部１０７Ａには計測終了通知部２０３が設けられ、計測終了通知部２０３は、タイマー１１０が設定された料理時間からのカウントダウンを計測し、設定された料理時間を経過し、停止状態となった場合、計測終了の通知を行う。計測終了の通知は、スピーカー１０５Ｂに対して予め設定した鳴動音が鳴り、又は、バイブレータ１１１が動作し、表示部１０９に経過通知が表示されることにより行われる。
【００３７】
図４は図３における計測時間保存制御部２０１による具体的な動作例を説明する図である。本図（ａ）に示すように、携帯電話機１００の表示部１０９にメニュー一覧画面が表示され、カーソルのスクロール、決定の押下によりタイマー補助の選択を行う。
本図（ｂ）に示すように、表示部１０９にはタイマー補助の画面が表示され、タイマー補助の画面には計測時間保存制御、計測時間設定制御の項目が表示される。カーソルのスクロール、決定の押下により計測時間保存制御の選択を行う。
【００３８】
本図（ｃ）に示すように、表示部１０９には作業一覧の画面が表示され、作業一覧の画面には複数の料理名等が表示されるが、料理名等の表示がなく、空白の新規項目を選択する。
本図（ｄ）に示すように、表示部１０９には新規保存の画面が表示され、新規保存の画面には料理名保存、料理時間保存、簡易料理時間保存の項目が表示される。カーソルのスクロール、決定の押下により料理名保存の選択を行う。
【００３９】
本図（ｅ）に示すように、表示部１０９には料理名入力の画面が表示され、料理名入力の画面には空きの入力欄が表示される。
本図（ｆ）に示すように、料理名入力の画面における入力欄に料理４を入力し、決定の押下を行う。
本図（ｇ）に示すように、表示部１０９に新規保存の画面が表示され、カーソルのスクロール、決定の押下により料理時間保存の選択を行う。
【００４０】
本図（ｈ）に示すように、表示部１０９には料理時間入力の画面が表示され、料理時間入力の画面には空きの入力欄が表示される。
本図（ｉ）に示すように、料理時間入力の画面における入力欄に料理時間、料理の火力の種類を入力し、決定の押下を行う。
本図（ｊ）に示すように、料理時間入力の画面における次の入力欄に次の料理時間、料理の火力の種類を入力し、決定の押下を行う。
【００４１】
本図（ｌ）に示すように、料理時間入力の画面における次の入力欄に入力を行わないで、決定の押下を行う。これにより新規保存の画面に戻る。
本図（ｍ）に示すように、新規保存の画面に戻り、表示が行われ、新規保存の画面には入力した料理名、料理時間が表示され、保存の押下により、メモリ１０３のタイマー補助情報保存部１０３Ａに保存される。
【００４２】
なお、本図（ｇ）の新規保存の画面で、本図（ｎ）に示すように、カーソルのスクロール、決定の押下により簡易料理時間保存の選択を行う場合について説明を行う。
ここで、料理時間を数種類設定することは手間を感じる場合もある。分単位のみでの登録の場合は、簡易料理時間保存のモードを提供する。携帯電話機１００の操作部１０８の数字キー１〜９、０がそれぞれ１分〜１０分に割り当ててあるものとする。
【００４３】
簡易料理時間保存のモードが選択されると、本図（ｏ）に示すように、料理時間の入力欄が表示され、数字キーを押下することで１つの料理時間設定が可能になる。例えば、「５」を押した場合は、本図（ｐ）に示すように、「５分」と設定される。
また、１つ目の数字キー「５」を押した後、本図（ｑ）に示すように、入力欄が次に自動的に移行し一定時間内に次に数字キーを押すことで、次の料理時間を設定することができる。予め次の数字キーまでの間隔を「５秒」と設定した場合、「５」を押して５秒経過する前に「０」を押すことで、本図（ｒ）に示すように、第１番目の料理時間５分、第２番目の料理時間１０分の設定ができることになる。なお、本図（ｓ）では料理時間入力画面における次の入力欄に入力を行わないで、決定の押下を行う。これにより、新規保存の画面（ｍ）に戻る。
【００４４】
数字キーを押してから一定時間が経過後（この場合は５秒経過後）は、料理時間設定のモードが終了となり、自動で本図（ｍ）の画面に遷移する。
換言すれば、料理時間設定の数が多いほど本図（ｅ）〜（ｌ）の画面ような設定では多少の時間がかかってしまうことになる。
タイマー設定において、１分〜１０分は使用頻度が高く、このように簡易設定のモードを可能とすることで、分単位のみで計測を多く使うユーザにとっては、タイマー設定の手間をさらに省くことができる。但し、秒単位、１分〜１０分を超える料理時間設定を行いたい場合は、本図（ｅ）〜（ｌ）での料理時間設定にて料理時間を入力することで料理時間設定が可能となる。
【００４５】
このように、複数の料理時間を設定する際に、一定時間内のキー連続入力での複数の時間を即座に設定できる簡易料理時間の入力を提供することで、よりユーザの操作を間単にできる。
なお、本図の画面に表示される「決定」、「保存」は特定キーの操作で実行するようにしてもよいし、画面のタッチ操作で動作するようにしてもよい。以下同様である。
【００４６】
図５は図４の計測時間保存制御部２０１の動作に基づき、図２のタイマー補助情報保存部１０３Ａに保持されるタイマー補助情報を説明する図である。
本図に示すように、図２と比較して、作業欄に料理１，２，３の料理名に対して料理４の料理名が追加される。料理４に対して、料理時間、料理の火力が設定される。
図６は図３における計測時間設定制御部２０２、計測終了通知部２０３による具体的な動作例を説明する図である。
【００４７】
本図（ａ）に示すように、携帯電話機１００の表示部１０９にメニュー一覧画面が表示され、カーソルのスクロール、決定の押下によりタイマー補助を選択する。
本図（ｂ）に示すように、表示部１０９にはタイマー補助の画面が表示され、タイマー補助の画面には計測時間保存制御、計測時間設定制御の項目が表示される。カーソルのスクロール、決定の押下により計測時間設定制御の選択を行う。
【００４８】
本図（ｃ）に示すように、表示部１０９には作業一覧の画面が表示され、作業一覧の画面には複数の料理名等が表示され、一例として、カーソルのスクロール、決定の押下により所望の料理１を選択する。
本図（ｄ）に示すように、表示部１０９には料理時間設定の画面が表示され、料理時間設定の画面には、「料理１」の料理名、「１．２０分／中火」、「２．５分／弱火」の料理時間が表示され、選択された「１．２０分／中火」の料理時間に対して、ユーザは料理の火力の調整を完了させ、画面の「スタート」を押す。
【００４９】
本図（ｅ）に示すように、表示部１０９にはカウントダウンの画面が表示され、料理時間が設定されたタイマー１１０のカウントダウンがスタートの合図で実行される。なお、タイマー１１０の中断は画面の「ストップ」を押すことにより可能である。
本図（ｆ）に示すように、タイマー１１０のカウントダウンが終了すると、計測終了通知部２０３は計測終了の通知を行う。計測終了通知部２０３は、スピーカー１０５Ｂから予め指定した音を鳴動させ、バイブレータ１１１に動作させる。また、表示部１０９の画面上にもタイマー１１０が終了したことを知らせる通知が表示される。ユーザは特定キー操作をすることでスピーカー１０５Ｂからの音の鳴動、バイブレータ１１１の動作を停止し、表示部１０９の通知表示を削除する。
【００５０】
本図（ｇ）に示すように、表示部１０９には料理時間設定の画面が表示され、料理時間設定の画面では次の料理時間である「２．５分／弱火」の表示に切り替わる。切り替わった「２．５分／弱火」の料理時間に対して、ユーザは料理の火力の調整を完了させ、画面の「スタート」を押す。
本図（ｈ）に示すように、表示部１０９にはカウントダウンの画面が表示され、料理時間が設定されたタイマー１１０のカウントダウンが実行される。なお、タイマー１１０の中断は画面の「ストップ」を押すことにより可能である。
【００５１】
本図（ｉ）に示すように、タイマー１１０のカウントダウンが終了すると、計測終了通知部２０３は計測終了の通知を行う。計測終了通知部２０３は、スピーカー１０５Ｂから予め指定した音を鳴動させ、バイブレータ１１１に動作させる。また、表示部１０９の画面上にもタイマー１１０が終了したことを知らせる通知が表示される。ユーザは特定キー操作をすることでスピーカー１０５Ｂからの音の鳴動、バイブレータ１１１の動作を停止し、表示部１０９の通知表示を削除する。
【００５２】
本図（ｄ）〜（ｉ）の画面では、アクティブになっている料理時間のみの表示となっているが、カウントダウンの計測していない料理時間についてはグレー表示になっていてもよいものとする。これにより、これから設定する料理時間、既に計測終了した料理時間の確認が可能になる。また、カウントダウンの計測していない料理時間を表示するようにしてもよい。
【００５３】
本図（ｆ）、（ｉ）におけるスピーカー１０５Ｂからの音の鳴動に対して、それぞれ異なる音を鳴動させるようにしてもよい。これにより、音によって、それぞれの料理時間の計測終了を聞き分けることが可能となる。
このようにして、料理名をつけて料理時間を保存するため、一例として、料理３が「ゆでたまご」である場合、作業の欄から料理３を選択して実行するだけで、タイマーをスタートさせ、同時に「ゆでたまご」であることを携帯電話機１００に記憶させることができ、あらためて料理の本などを確認する必要がなくなる。
【００５４】
また、予め保存してある料理時間を使用する場合、従来のように、時間の設定は必要なく、複数の料理時間が保存されているため、料理時間を数段階に分けて設定でき、上記のように、２０分と５分の２段階で設定した場合、２０分経過後にタイマー１１０が停止し、そこで一旦ユーザに知らせる。そこで、ユーザは次の料理時間を再設定することなく、１つの操作で次の料理時間５分のスタートさせることができる。１つの料理で数回に分けた料理時間の計測、例えば、煮込み料理で中火２０分、その後弱火５分などのように、スムーズに料理を進めることができる。
【００５５】
図７はタイマー設定部２０１による料理名、料理時間の変更例を説明する図である。
本図（ａ）に示すように、図４（ａ）、（ｂ）を経由して、表示部１０９には作業一覧の画面が表示され、タイマー補助部１０７Ａのタイマー設定部２０１により、作業一覧の画面において、カーソルのスクロール、決定の押下により、一例として、「料理１」が変更対象として選択される。
【００５６】
本図（ｂ）に示すように、表示部１０９には作業変更の画面が表示され、作業変更の画面には、「料理１」の料理名、「１．２０分」、「２．５分」の料理時間が表示され、カーソルのスクロールにより「料理１」を選択し、「料理Ａ」に変更し、決定の押下を行う。
本図（ｃ）に示すように、作業変更の画面において、カーソルのスクロールにより「１．２０分」を選択し、「１．１５分」に変更し、決定の押下を行う。
【００５７】
本図（ｄ）に示すように、作業変更の画面において、カーソルのスクロールにより、任意の１つ、一例として、「２．５分」を選択し、変更せず、決定の押下を行う。
本図（ｅ）に示すように、表示部１０９には変更保存の画面が表示され、保存の押下により、変更した料理名、料理時間がメモリ１０３のタイマー補助情報保存部１０３Ａに上書き保存される。
【００５８】
このようにして、タイマー１１０に対して料理時間を設定する際に、料理名を編集したり、数種類の料理時間を編集したりとユーザが行う操作は煩雑であるが、近年、携帯電話機１００では、メールの作成などの文字編集を行うユーザが多いため、ユーザは携帯電話機１００での文字編集に慣れていることが考えられる。
図８は図７の計測時間保存制御部２０１の変更によりタイマー補助情報保存部１０３Ａに保持されているタイマー補助情報の変更を説明する図である。
【００５９】
本図に示すように、図２と比較して、図７の計測時間保存制御部２０１の変更に基づき、メモリ１０３のタイマー補助情報保存部１０３Ａに保持されている料理名、料理時間について変更が行われる。
図９は本発明に係る携帯電話機のタイマー補助方法について一連の動作を説明するフローチャートである。
【００６０】
本図に示すように、ステップＳ３０１において、携帯電話機１００の表示部１０９にメニュー画面を表示する。
ステップＳ３０２において、表示されたメニュー画面からタイマー補助を選択し、タイマー補助画面を表示する。
ステップＳ３０３において、タイマー補助の画面から計測時間保存制御が選択されたか否かを判断し、選択された場合にはステップＳ３０４に進み、選択されない場合にはステップＳ３１６に進む。
【００６１】
ステップＳ３０４において、計測時間保存制御が選択された場合、作業一覧の画面を表示部１０９に表示する。
ステップＳ３０５において、作業一覧の画面において、料理名の表示がなく、空白の新規項目が選択されたか否かの判断を行う。
ステップＳ３０６において、新規項目の選択の場合には表示部１０９に新規保存の画面が表示され、新規保存の画面には料理名保存、料理時間保存、簡易料理時間保存の項目が表示される。新規保存の画面で料理名保存が選択され、料理名入力の画面が表示される。料理名入力の画面で、料理名が入力され、入力後に新規保存の画面になる。
【００６２】
ステップＳ３０７において、新規保存の画面で、簡易料理時間保存を選択したか否かを判断する。
ステップＳ３０８において、簡易料理時間保存が選択されず、料理時間保存の項目が選択された場合には、料理時間入力の画面が表示部１０９に表示される。料理時間入力の画面で、入力された料理名に対する料理時間を入力する。入力された料理名、タイマー補助情報保存部１０３Ａに料理時間を保存する。
【００６３】
ステップＳ３０９において、次の料理時間の設定があるか否かを判断する。次の料理時間の設定がない場合には処理を終了し、次の料理時間の設定がある場合にはステップＳ３０７に進み、以上の処理を繰り返す。
ステップＳ３１０において、簡易料理時間保存が選択されている場合には、設定された料理名に対する料理時間の簡易保存を行い、ステップＳ３０９に進む。なお、前述のように、簡易料理時間保存では、分単位で１分〜１０分の料理時間に対して、数字キー１〜９、０の操作の設定、自動切換え等が行われる。
【００６４】
ステップＳ３１１において、作業一覧の画面で、新規項目が選択されず、保存されている料理名から選択を行う。
ステップＳ３１２において、選択された料理名の変更を行うか否かを判断し、変更を行わない場合にはステップＳ３１５に進む。
ステップＳ３１３において、選択された料理名の変更を行う場合には、料理名の変更を行う。
【００６５】
ステップＳ３１４において、料理名に対する料理時間の変更を行うか否かを判断する。変更をしない場合には処理を終了し、変更をする場合にはステップＳ３１５に進む。
ステップＳ３１５において、料理名に対する料理時間の変更を行う
ステップＳ３１６において、計測時間保存制御の選択ではなく、計測時間設定制御の選択であるか否かを判断する。計測時間設定制御の選択でない場合には処理を終了する。
【００６６】
ステップＳ３１７において、計測時間設定制御の選択である場合には、作業一覧の画面を表示部１０９に表示する。
ステップＳ３１８において、作業一覧の画面では、所望の料理名を選択する。
ステップＳ３１９において、料理時間設定の画面が表示部１０９に表示され、料理時間設定の画面では選択された料理名に対応する料理時間を選択する。
【００６７】
ステップＳ３１９において、選択された料理名に対する料理時間、料理の火力の種類が表示される。
ステップＳ３２０において、表示された画面に表示される「スタート」を押下してタイマー１１０に選択された料理時間をタイマー１１０に設定してカウントダウンを開始する。
【００６８】
ステップＳ３２１において、計測終了通知部２０３はカウントダウンが終了するのを監視する。
ステップＳ３２２において、カウントダウンが終了すると、計測終了通知部２０３はスピーカー１０５Ｂの音の鳴動、バイブレータ１１１の動作、表示部１０９への通知表示等により計測終了の通知を行う。
【００６９】
ステップＳ３２３において、次の計測があるか否かを判断する。次の計測がない場合には処理を終了し、次のタイマー計測がある場合にはステップＳ３１９に戻り、上記処理を繰り返す。
したがって、本発明によれば、タイマーを使用する際に連続して計測を行う場合、従来では再度タイマーの時間の設定を行う必要があったが、一連の作業に複数の計測時間を設定することで、タイマーへの時間設定時に遅れが生じずに、一連の作業がスムーズに進めることが可能となり、設定される複数の計測時間の保存についても簡易計測時間保存のモードを使用することで、少ないキー操作で簡単に複数の計測時間の保存ができる。また、複数の一連の作業がある場合、各一連の作業について、携帯電話機のメモリ内に複数の計測時間を保存できるようにすることで、一度保存してしまえば、それ以降その都度、従来のように計測時間をタイマーに設定する煩わしさがなくなり、且つ設定すべき計測時間を思い出せない場合でもわざわざ調べる手間がいらない。
【００７０】
タイマーを多く使用する作業例として料理があげられる。料理によっては、時間刻みで料理を進めていくものも多く、１つの料理の中でタイマーを数回使用する。従来では、料理をしている最中に何度もタイマーの時間設定を行う必要があり、料理に支障を与えることもあったが、本発明では、予め１つのタイマーに複数の時間設定を行っておくことで、計測の度に時間の設定を行う必要もなく、スムーズに料理を進めることができる。
【００７１】
携帯電話機のタイマー機能に本発明のタイマー補助機能を加え、より使い易いタイマー機能を提供すると同時に、タイマー操作におけるユーザの操作の負担を軽減し、また、携帯電話機を外出する際にも持ち歩くユーザは多いため、外出先で使える携帯電話機のタイマー機能は便利になる。
【実施例１】
【００７２】
図１０は図４（ｄ）の新規保存の画面、図６（ｄ）の料理時間設定の変形例であり、メモを保存し、開く例を示す図である。本図（ａ）に示すように、図４（ｄ）の新規保存の画面にメモ保存の項目を追加し、本図（ｂ）に示す料理のレシピをメモリ１０３のタイマー補助情報保存部１０３Ａに保存させる。
本図（ｃ）に示すように、図６（ｄ）の料理時間設定にメモの項目を追加し、カーソルのスクロール、決定の押下によりメモを選択することにより、本図（ｂ）に示すように、料理のレシピーを開くことが可能になる。これにより、タイマーと同時に料理メモとして活用可能となる。
【実施例２】
【００７３】
近年、音楽をダウンロードしたり、又は、自分で音楽を作成することもできる携帯電話機１００が多い。一般のタイマーとは異なり、ユーザが好きな音を各タイマーのお知らせ音に設定することが可能である。
図６（ｆ）、（ｉ）において、計測終了通知部２０３による通知を行うためにスピーカー１０５Ｂから鳴動させる音に、ダウンロードした音楽、自分で作成した音楽を用いるようにしてもよい。これにより、一般のキッチンタイマーと比較し、携帯電話機には好きな音楽をダウンロードでき、それをタイマーの通知の音に設定できるので、ユーザにとっては料理時間の設定をすると同時に好きな音楽を家族、友人等と一緒に楽しむことができる。
【実施例３】
【００７４】
図１１は図１の変形例であり、本発明に係る携帯電話機の概略構成を示すブロック図である。本図に示すように、図１と比較して、制御部１０７に音声合成装置１１２が接続され、音声合成装置１１２は携帯電話機１００のメールの本文などを音声で読み上げるのに使用される。本発明では、各作業に名前をつけて保存しているので、タイマー補助機能として、音声合成装置１１２を用いて予め保存したカウントダウン終了時のメッセージを読み上げるようにする。
【００７５】
すなわち、設定した料理時間が経過すると、設定してある料理名と料理時間をおりまぜて、例えば、「ゆでたまご、６分」の場合、「ゆでたまご、６分経過しました」などのよう読み上げて音声で知らせるため、ユーザは聞いただけで何をしていたかを即座に思い出すことができる。
また、複数の料理時間が設定してある場合は、「５分経過しました。次は１０分です。」といったように次の時間を音声のメッセージで促す。
【００７６】
好ましくは、読み上げる音声については、携帯電話機１００に特定のサイトからダウンロードしたり、外部より転送を行うなどして、オリジナルの音声を使用するようにしてもよい。
例えば、有名人の声で「次は１０分弱火で煮込んでください。」といったように、ユーザの好みの声でお知らせすることも可能となる。
【実施例４】
【００７７】
図１２は図１の別の変形例であり、本発明に係る携帯電話機の概略構成を示すブロック図である。本図に示すように、図１と比較して、制御部１０７にＬＥＤ（発光ダイオード）１１３が接続され、ＬＥＤ１１３は、料理時間の経過を事前に知らせる一手段として使用される。
図１３は図６（ｇ）における料理時間の経過を事前に知らせる例を説明する図である。
【００７８】
本図（ａ）に示すように、表示部１０９には計測時間設定の画面が表示され、料理時間設定の画面では次の料理時間である「２．５分／弱火」の表示に切り替わり、「スタート」の押下が行われる。
本図（ｂ）に示すように、表示部１０９にはカウントダウンの画面が表示され、料理時間が経過する。
【００７９】
本図（ｃ）に示すように、カウントダウンの画面で料理時間５分の経過の１０秒前になったところで、同時にスピーカー１０５Ｂからトーンが鳴動する。そこから、本図（ｄ）、（ｅ）に示すように、「９秒前」→「８秒前」、…とカウントダウンすると同時に１秒間隔にてトーンを鳴動する。これにより、ユーザはもうすぐ５分が経過することを事前に知ることができる。
【００８０】
さらに、トーン鳴動と同時に１秒間隔でＬＥＤ１１３を点滅させることで、トーン音が聞こえにくい環境下においても５分経過を事前に知ることが可能になる。
【実施例５】
【００８１】
図１４は図１の他の変形例であり、本発明に係る携帯電話機の概略構成を示すブロック図である。本図に示すように、図１と比較して、制御部１０７に文字認識部１１４が接続され、文字認識部１１４は携帯電話機１００に受信したメール本文の文字を認識する。
本実施例では、携帯電話機１００におけるメール機能について、受信したメールに料理のレシピなどがあった場合、メール本文内の時間すべてを１つの料理時間として保存する機能について、以下に説明する。
【００８２】
図１５は料理時間保存、料理時間設定の別の例を示す図である。本図（ａ）に示すように、携帯電話機１００に受信したメール本文を開いた状態である。文字認識部１１４はメール本文から時間（時、分、秒）を検索する。メール本文には「１０分」、「３０秒」、「５分３０秒」の３種類が存在する。
本図（ｂ）に示すように、文字認識部１１４による検索が終了すると、表示部１０９に料理時間保存の画面が表示され、料理時間保存の画面では、文字認識部１１４により検索されたすべての時間を順番に、「１．１０分」、「２．３０秒」、「３．５分３０秒」の料理時間がメモリ１０３のタイマー補助情報保存部１０３Ａに保存される。決定の押下が行われる。
【００８３】
本図（ｃ）に示すように、表示部１０９には料理時間設定の画面が表示され、料理時間設定の画面には、「１．１０分」、「２．３０秒」、「３．５分３０秒」の料理時間が表示され、選択された「１．１０分」の料理時間に対して、「スタート」を押す。
本実施例ではメール本文からの料理時間保存であったが、他にもｈｔｍｌの本文からの料理時間保存も可能とする。
【産業上の利用可能性】
【００８４】
以上の説明では、タイマーを利用する作業を料理に限定したが、これらに限らず、例えば、フィットネスクラブで数種類の体操を行う場合に、各体操に自分に合った時間を割り振る場合に本発明を利用できる。
また、プールで水泳の練習、陸上のインタバルトレーニングを行う場合には、泳ぎ、走る時間、休憩を取る時間を割り振る場合に本発明を利用できる。
【００８５】
また、携帯電話機に対してタイマー補助の説明を行ったが、ＰＨＳ（簡易型携帯電話機）、ＰＤＡ（携帯情報端末）にも本発明の利用が可能である。
【図面の簡単な説明】
【００８６】
【図１】本発明に係る携帯電話機の概略構成を示すブロック図である。本図に示すように、携帯電話機１００にはアンテナ１０１が設けられ、アンテナ１０１は基地局との間で無線通信を行う。
【図２】図１におけるタイマー補助情報保存部１０３Ａに保持されるタイマー補助情報を説明する図である。
【図３】図１におけるタイマー補助部１０７Ａの概略構成を示すブロック図である。
【図４】図３における計測時間保存制御部２０１による具体的な動作例を説明する図である。
【図５】図４の計測時間保存制御部２０１の動作に基づき、図２のタイマー補助情報保存部１０３Ａに保持されるタイマー補助情報を説明する図である。
【図６】図３における計測時間設定制御部２０２、計測終了通知部２０３による具体的な動作例を説明する図である。
【図７】タイマー設定部２０１による料理名、料理時間の変更例を説明する図である。
【図８】図７の計測時間保存制御部２０１の変更によりタイマー補助情報保存部１０３Ａに保持されているタイマー補助情報の変更を説明する図である。
【図９】本発明に係る携帯電話機のタイマー補助方法について一連の動作を説明するフローチャートである。
【図１０】図４（ｄ）の新規保存の画面、図６（ｄ）の料理時間設定の変形例であり、メモを保存し、開く例を示す図である。
【図１１】図１の変形例であり、本発明に係る携帯電話機の概略構成を示すブロック図である。
【図１２】図１の別の変形例であり、本発明に係る携帯電話機の概略構成を示すブロック図である。
【図１３】図６（ｇ）における料理時間の経過を事前に知らせる例を説明する図である。
【図１４】図１の他の変形例であり、本発明に係る携帯電話機の概略構成を示すブロック図である。
【図１５】料理時間保存、料理時間設定の別の例を示す図である。
【図１６】本発明の前提となる携帯電話機におけるタイマー設定方法について説明する図である。
【符号の説明】
【００８７】
１００…携帯電話機
１０１…アンテナ
１０２…無線部
１０３…メモリ
１０３Ａ…タイマー補助情報保存部
１０４…音声信号処理部
１０５Ａ、１０５Ｂ…スピーカー
１０６…マイクロフォン
１０７…制御部
１０７Ａ…タイマー補助部
１０８…操作部
１０９…表示部
１１０…タイマー
１１１…バイブレータ
１１２…音声合成装置
１１３…ＬＥＤ
１１４…文字認識部
２０１…計測時間保存制御部
２０２…計測時間設定制御部
２０３…計測終了通知部
【図１】
2008026291.tif 000003
【図２】
2008026291.tif 000004
【図３】
2008026291.tif 000005
【図４】
2008026291.tif 000006
【図５】
2008026291.tif 000007
【図６】
2008026291.tif 000008
【図７】
2008026291.tif 000009
【図８】
2008026291.tif 000010
【図９】
2008026291.tif 000011
【図１０】
2008026291.tif 000012
【図１１】
2008026291.tif 000013
【図１２】
2008026291.tif 000014
【図１３】
2008026291.tif 000015
【図１４】
2008026291.tif 000016
【図１５】
2008026291.tif 000017
【図１６】
2008026291.tif 000018